(57)【要約】【課題】友禅染用として、染め上がりに近い色つき絵柄図、色差し指示書、糸目図を作成することにより、買う側にとっては注文時に完成予定図をみることができ、職人にとっては完成図がはっきりと決まっているため、色差し指示書及び糸目図を参考にして作業効率を上げ、生産性を高くし、工賃も下げることができる。【解決手段】衣類図柄指示紙１００は色見本１０の配置部と柄見本２０の配置部からなる。色見本１０は色彩見本１１、図案名１２及び色番号１３とからなる。図柄指示システム２００は、図柄指示紙１００をディスプレー８０に表示し、色見本集４０及び柄見本集６０をデータベース化し、ディスプレー８０に表示した衣類図柄指示紙上又は上記衣類図柄指示紙外に、選択された色見本１０及び柄見本２０を表示可能とする。【選択図】　図１
0003098357.tif 000002
【実用新案登録請求の範囲】
【請求項１】
色見本の配置部と、柄見本の配置部とを設けたことを特徴とする衣類図柄指示紙。
【請求項２】
上記色見本は、色彩見本と、図案名と、色番号と、からなることを特徴とする請求項１記載の衣類図柄指示紙。
【請求項３】
上記柄見本の配置部には、図柄の輪郭線のみが表示されていることを特徴とする請求項１又は請求項２記載の衣類図柄指示紙。
【請求項４】
上記柄見本の配置部には、着色された図柄のみ表示されていることを特徴とする請求項１又は請求項２記載の衣類図柄指示紙。
【請求項５】
背景色が着色されていることを特徴とする請求項１乃至請求項４記載のいずれかの衣類図柄指示紙。
【請求項６】
上記請求項１乃至請求項５記載のいずれかに記載の指示紙と、色見本集と、柄見本集とを組み合わせることを特徴とする衣類図柄指示用品一式。
【請求項７】
上記請求項１乃至請求項５のいずれかに記載の衣類図柄指示紙はディスプレーに表示可能であり、色見本集及び柄見本集はデータベース化されて、ディスプレーに表示された上記衣類図柄指示紙上又は上記衣類図柄指示紙外に、選択された色見本及び図柄が表示可能であることを特徴とする衣類図柄指示システム。
【請求項８】
上記衣類は、友禅染めの和服又は帯であることを特徴とする衣類図柄指示紙、衣類図柄指示用品一式、又は、衣類図柄指示システム。
【考案の詳細な説明】
【０００１】
【考案の属する技術分野】
この考案は、衣類図柄指示紙、衣類図柄指示用品一式、又は、衣類図柄指示システムに関し、特に、友禅染めの着物及び帯のデザインと色を自在に組合わせて紙上で確認でき、注文時に完成予想図を頭に描け、染物等の業者の客の指示・注文を正確に伝えることができる衣類図柄指示紙、衣類図柄指示用品一式、又は、衣類図柄指示システムに関する。
【０００２】
【従来の技術】
従来、例えば、呉服業界の流通はまず、「つぶしや」と呼ばれるプロデューサーが生地を仕入れて商品企画（デザイン）し、次に「悉皆屋」と呼ばれるディレクターが各職人を動かして友禅の着物や帯を染め、前記のつぶしやに納め工賃を受け取る。
この従来の友禅染の着物及び帯の作成には、分業化された友禅染めの手仕事の良さはあるが、どうしても数千とある図案及び色見本から図案及び図案の色を選ぶこと、及び、その後の作業が分業化された手仕事であることから、制作過程での指示の曖昧さが生じ、最終段階の出来上がりでしか色の調和、不調和が確認できず、職人としても、着物や帯を求める人としても納得のいく着物及び帯作りは難しいものであった。
【０００３】
また、現在友禅図案は紙で保存されておりだんだん風化して黄色く変質してしまっているのが現状である。
【０００４】
【考案が解決しようとする課題】
したがって、本発明の課題は、衣類図柄指示紙（染め上がりに近い色つき絵柄図・色差し指示書）や図柄の輪郭線図（糸目図）を作成することにより、買う側にとっては注文時に完成予定図を見ることができるため希望を取り入れてもらうことが簡単になり、職人にとっては完成図がはっきりと決まっているため、衣類図柄指示紙及び図柄の輪郭線図を参考にして作業効率を上げ、生産性を高くし、それにより工賃も下げることができることを課題としている。
【０００５】
【課題を解決するための手段】
上記課題を解決するために、以下の手段を講じた。即ち、
請求項１記載の衣類図柄指示紙は、色見本の配置部と、柄見本の配置部とを設けたことを特徴とする。
請求項２記載の衣類図柄指示紙は、請求項１記載の衣類図柄指示紙において、上記色見本は、色彩見本と、図案名と、色番号と、からなることを特徴とする。
【０００６】
請求項３記載の衣類図柄指示紙は、請求項１又は請求項２記載の衣類図柄指示紙において、上記柄見本の配置部には、図柄の輪郭線のみが表示されていることを特徴とする。
請求項４記載の衣類図柄指示紙は、請求項１又は請求項２記載の衣類図柄指示紙において、上記柄見本の配置部には、着色された図柄のみ表示されていることを特徴とする。
請求項５記載の衣類図柄指示紙は、請求項１乃至請求項４記載のいずれかの衣類図柄指示紙は、背景色が着色されていることを特徴とする。
【０００７】
請求項６記載の衣類図柄指示用品一式は、上記請求項１乃至請求項５記載のいずれかに記載の指示紙と、色見本集と、柄見本集とを組み合わせることを特徴とする。
請求項７記載の衣類図柄指示システムは、上記請求項１乃至請求項５のいずれかに記載の衣類図柄指示紙はディスプレーに表示可能であり、色見本集及び柄見本集はデーベース化されて、ディスプレーに表示された上記衣類図柄指示紙上又は上記衣類図柄指示紙外に、選択された色見本及び図柄が表示可能であることを特徴とする。
請求項８記載の衣類図柄指示紙、衣類図柄指示用品一式、又は、衣類図柄指示システムは、上記衣類が、友禅染めの和服又は帯であることを特徴とする。
【０００８】
そして、上記システムにおいては、まず多量の図案集及び染色見本集を例えば、スキャンしアドビシステム社製のソフトであるフォトショップ（Ｐｈｏｔｏｓｈｏｐ）にて図案のデータ化及び染色見本の友禅染め用としてパレット化しデータベースとする。各図案は名称で、各染色見本は名称・色番号にて管理されている。こうすることで取り込んだ古い図案を手直しし、新図案を作成することもできる。
【０００９】
【考案の実施の形態】
【実施例１】
本考案の実施の形態について図１〜図５を用いて友禅染めの図案指示紙について説明する。図１は本考案に係る基本となる衣類図柄指示紙、図２は同衣類図柄指示紙を作成するための指示用紙（Ａ）、色見本集（Ｂ）図案集（Ｃ）、図３は同衣類図柄指示用の輪郭線表示紙、図４は本考案に係る衣類図柄指示紙、図５は本考案に係る衣類図柄指示システム概念図である。図６は同衣類図柄を作成するための流れ図である。
なお、原図面はカラーであることから添付した図面は正確に表示されていない。正確なカラーの原図面（図１、図４）が必要である場合は原図面を提出する用意がある。
【００１０】
（衣類図柄指示紙１００について）
衣類図柄指示紙１００には、色見本１０の配置部と柄見本２０の配置部が設けられる。色見本１０は色彩見本１１、図案名１２及び色番号１３とからなり、柄見本２０は図柄２１、輪郭線２２及び背景着色部２５とからなる。色彩見本１１を選択するに当たっては別途用意されている色見本集４０の中から好みの色を選択する。又、図柄２１については柄見本集６０の中から選択される。上記柄見本集６０に示されている図柄２１にはその図案の名称が付けられており（図案名１２）、また、色見本集４０における色彩見本１１にも色番号１３が付けられており、これらのデータが色見本１０として標記される。
【００１１】
まず、客によって図柄２１が柄見本集６０から特定され、次に、各図柄２１の色が色見本集４０から選定されることにより衣類図柄指示紙１００が完成する。この衣類図柄指示紙１００を染色業者に示すことで簡単に友禅染めの染色が間違いなく指示できることになる。
また、これらの作業を注文時にその場でコンピュータ上にて行うときは柄見本集６０と色見本集４０の一部又は全部を色見本集及び柄見本集データベース９０化としてデータ化してメディア及びパソコンのハードに格納し、フォトショップ（登録商標）ソフトを用いてディスプレー８０上で客の指示を受けても良い。
【００１２】
この場合、客が選択した図柄２１中の図案名１２と色番号１３を個別に入力することにより衣類図柄指示紙１００をディスプレー８０上に表示させることができる。そして、このディスプレー８０上の衣類図柄指示紙１００を客に見せて適宜図柄２１や色彩見本１１や背景着色部２５を変更することによって客の明確な希望を引き出すことができ、また、簡易に注文を変更することが可能である。
【００１３】
そして注文が確定した段階でプリンタ８３にてカラー印刷し、これを客に手渡すと同時に染め物業者にプリントした紙又はＥメール等で発送することで迅速かつ確実な注文が可能となる。なお、図４は最終的な衣類図柄指示紙１００の例である。また、図６は、上記衣類図柄を作成するための作業の流れ図である。
なお、衣類図柄指示紙１００を作成するまでの以上の流れを衣類図柄指示システム２００とする。また、符号８２、８４はそれぞれパソコンを操作する上で使用するマウス及びキーボードである。
また、上記実施例は、友禅染用の図柄指示紙及びシステムについて説明したが、他のアイテム、例えば、和用のアイテムとしては、和洋コート、長襦袢等の和洋の下着地全般、風呂敷、袱紗、帯揚げ、洋用のアイテムとしては、洋服地、ハンカチ、スカーフ、ネクタイ、その他小物アイテムでは、財布や名刺入れ、袋物などの小物生地、ハンドバック生地、室内装飾品アイテムとしては、絵画、壁掛け、テーブルクロス、ソファーなどの家具用生地、パソコン用のアイテムとしてはパソコンのデスクトップ壁紙、同スクリーンセーバー等にも、適用できることは言うまでもない。なお、上記パソコン用アイテムに用いる場合には、他のソフトの併用を必要とする場合もある。
また、本考案に係る衣類図柄指示システムは、ＣＤ−ＲＯＭ，ＤＶＤなどのメディアやパソコン等の情報処理装置として、流通、サービス等に供することができる。
【００１４】
【考案の効果】
本考案は、上記構成により、今までは出来上がりを想像して作成計画をたてるため出来上がりの不調和が起こり得た友禅染の着物や帯作りにおいて、注文時に実際にできあがりと同じ模様・色を直接確認することができることにより、客としては細かな希望まで伝えやすくなることで納得のいく着物及び帯作りができ、職人としては間違いなく客の注文通りのものを作ることができるようになり生産性の向上につながった。
また、元来紙にて保存されている伝統技術である友禅図案がデジタル化により保存、発展させることができることはいうまでもない。そして、勘に頼る部分の多かった染色業界においては新しいビジネスモデルを提供するものである。
【図面の簡単な説明】
【図１】本考案に係る基本となる衣類図柄指示紙。
【図２】同衣類図柄指示紙を作成するための指示用紙（Ａ）、色見本集（Ｂ）図案集（Ｃ）。
【図３】同衣類図柄指示用の輪郭線表示紙。
【図４】本考案に係る衣類図柄指示紙。
【図５】本考案に係る衣類図柄指示システム概念図。
【図６】同衣類図柄を作成するための流れ図。
【符号の説明】
１０・・色見本　　１１・・色彩見本　　１２・・図案名　　１３・・色番号
２０・・柄見本　　　　　２１・・図柄　　　　２２・・輪郭線（糸目）
２５・・背景着色部　　　４０・・色見本集　　６０・・柄（図案）見本集
８０・・ディスプレー　　８１・・パソコン
８２・・マウス　　　　　８３・・プリンタ　　８４・・キーボード
９０・・色見本集及び柄見本集データベース
１００・・衣類図柄指示紙　　　２００・・衣類図柄指示システム
【図１】
0003098357.tif 000003
【図２】
0003098357.tif 000004
【図３】
0003098357.tif 000005
【図４】
0003098357.tif 000006
【図５】
0003098357.tif 000007
【図６】
0003098357.tif 000008
【手続補正書】
【提出日】平成15年7月3日(2003.7.3)
【手続補正１】
【補正対象書類名】明細書
【補正対象項目名】実用新案登録請求の範囲
【補正方法】変更
【補正の内容】
【実用新案登録請求の範囲】
【請求項１】
色見本の配置部と、柄見本の配置部とを設けたことを特徴とする衣類図柄指示紙。
【請求項２】
上記色見本は、色彩見本と、図案名と、色番号と、からなることを特徴とする請求項１記載の衣類図柄指示紙。
【請求項３】
上記柄見本の配置部には、図柄の輪郭線のみが表示されていることを特徴とする請求項１又は請求項２記載の衣類図柄指示紙。
【請求項４】
上記柄見本の配置部には、着色された図柄のみ表示されていることを特徴とする請求項１又は請求項２記載の衣類図柄指示紙。
【請求項５】
背景色が着色されていることを特徴とする請求項１乃至請求項４記載のいずれかの衣類図柄指示紙。
【請求項６】
上記請求項１乃至請求項５記載のいずれかに記載の指示紙と、色見本集と、柄見本集とを組み合わせることを特徴とする衣類図柄指示用品一式。
【請求項７】
色彩見本と図案名と色番号のいずれか１以上からなる色見本の表示部と図柄の輪郭線と着色された図柄と背景色のいずれか１以上からなる柄見本の表示部とが設けられたディスプレーと、複数の色見本及び複数の柄見本がデータベース化されたパソコンと、からなることを特徴とする衣類図柄指示システム。
【請求項８】
上記衣類は、友禅染めの和服又は帯であることを特徴とする請求項７記載の衣類図柄指示システム。
【手続補正２】
【補正対象書類名】明細書
【補正対象項目名】０００７
【補正方法】変更
【補正の内容】
【０００７】
請求項６記載の衣類図柄指示用品一式は、上記請求項１乃至請求項５記載のいずれかに記載の指示紙と、色見本集と、柄見本集とを組み合わせることを特徴とする。
請求項７記載の衣類図柄指示システムは、色彩見本と図案名と色番号のいずれか１以上からなる色見本の表示部と図柄の輪郭線と着色された図柄と背景色のいずれか１以上からなる柄見本の表示部とが設けられたディスプレーと、複数の色見本及び複数の柄見本がデータベース化されたパソコンと、からなることを特徴とする。
請求項８記載の衣類図柄指示システムは、請求項７記載の衣類図柄指示システムにおいて、上記衣類は、友禅染めの和服又は帯であることを特徴とする。